(57)【特許請求の範囲】
【請求項１】
第１透光性基板上の第１方向に沿って同色の色濃度を段階的に単一方向に変化させた複数の第１透光領域を有する第１チャートと、
前記第１透光性基板と重なり合う第２透光性基板上に前記複数の第１透光領域と重なり合うように配置され、前記第１方向に延在される第２透光領域と、前記第１方向に交差する第２方向に沿って前記第２透光領域に隣接して配置され所定の透過率を有する第３透光領域と、を有する第２チャートとを備え、
前記第２透光領域は、前記複数の第１透光領域の中の最大色濃度と同じ色濃度を有し、
前記第２透光領域および前記第３透光領域の前記第２方向の幅はそれぞれ、前記複数の第１透光領域の前記第２方向の幅よりも狭く、
前記第３透光領域は、重ね合わせる前記複数の第１透光領域の中の最小色濃度と同じ色濃度を有するカラーチャート。
【請求項２】
前記第１方向に沿って配置される前記複数の第１透光領域は、等量ずつ相違する色濃度を有する請求項１に記載のカラーチャート。
【請求項３】
前記第１チャートは、前記第１透光性基板上に前記第２方向に沿って並べて配置され、それぞれ異なる色のｍ個（ｍは２以上の整数）の前記複数の第１透光領域を有し、
前記第２チャートは、前記ｍ個の前記複数の第１透光領域に重なり合うように配置され、前記第１方向に延在される前記ｍ個の前記第２透光領域と、前記第２方向に沿って前記第２透光領域に隣接して配置される前記ｍ個の前記第３透光領域と、を有する請求項１または２に記載のカラーチャート。
【請求項４】
前記ｍ個の前記複数の第１透光領域は、シアン、マゼンタ、黄および黒の各色、あるいは、赤、緑、青および黒の各色の前記複数の第１透光領域を含む請求項３に記載のカラーチャート。
【請求項５】
前記第２チャートの前記第３透光領域は、前記第２透光性基板と同じ透過率を有する請求項１乃至４のいずれか１項に記載のカラーチャート。
【請求項６】
前記第１透光性基板と前記第２透光性基板とは、光の波長に対する透過率特性が同一である請求項１乃至５のいずれか１項に記載のカラーチャート。
【請求項７】
前記第１チャートおよび前記第２チャートに重ね合わされる少なくとも１つの第３チャートを備え、
前記第３チャートは、前記複数の第１透光領域と重なり合うように前記第１方向に延在される第４透光領域と、前記第１方向に交差する第２方向に沿って前記第４透光領域に隣接して配置され所定の透過率を有する第５透光領域と、を有し、
前記第４透光領域の前記第２方向の幅は、前記第２透光領域の前記第２方向の幅とは異なり、
前記第５透光領域の前記第２方向の幅は、前記第３透光領域の前記第２方向の幅とは異なり、
前記第４透光領域は、前記複数の第１透光領域の中の最大色濃度と同じ色濃度を有し、
前記第５透光領域は、重ね合わせる前記複数の第１透光領域の中の最小色濃度と同じ色濃度を有する請求項１乃至６のいずれか１項に記載のカラーチャート。
【請求項８】
シート状のカラーチャートと、
前記カラーチャートの一シート面側に配置され、前記カラーチャートを透過する光を発光する照明装置と、を備え、
前記カラーチャートは、
第１透光性基板上の第１方向に沿って同色の色濃度を段階的に単一方向に変化させた複数の第１透光領域を有する第１チャートと、
前記第１透光性基板と重なり合う第２透光性基板上に前記複数の第１透光領域と重なり合うように配置され、前記第１方向に延在される第２透光領域と、前記第１方向に交差する第２方向に沿って前記第２透光領域に隣接して配置され所定の透過率を有する第３透光領域と、を有する第２チャートとを有し、
前記第２透光領域は、前記複数の第１透光領域の中の最大色濃度と同じ色濃度を有し、
前記第２透光領域および前記第３透光領域の前記第２方向の幅はそれぞれ、前記複数の第１透光領域の前記第２方向の幅よりも狭く、
前記第３透光領域は、重ね合わせる前記複数の第１透光領域の中の最小色濃度と同じ色濃度を有するカラーチャート装置。
【発明の詳細な説明】
【技術分野】
【０００１】
本開示は、カラーチャートおよびカラーチャート装置に関する。
【背景技術】
【０００２】
従来から、ビデオカメラ、スチルカメラ、スキャナ等の画像入力装置においては、入力画像の色再現性を確保するため、カラーチャートを用いた色再現性の評価および較正が行われていた。従来のカラーチャートの階調数は、数十〜百程度であった。
【０００３】
ところで、近年では、明暗差の大きな被写体の明暗情報を高分解能で取得できるハイダイナミックレンジの画像入力装置が開発および製品化されるようになった。
【０００４】
しかしながら、従来のカラーチャートは、階調数が限られているために、ハイダイナミックレンジの画像入力装置の評価および較正に十分とは言えなかった。
【０００５】
以上の背景から、カラーチャートを重ね合わせて色域を拡大する技術が提案されている（特許文献１参照）。
【先行技術文献】
【特許文献】
【０００６】
【特許文献１】特開２０１３‐８８２２６号公報
【発明の概要】
【発明が解決しようとする課題】
【０００７】
しかしながら、特許文献１では、階調数を増加するための工夫は何らなされておらず、重ね合わせる各カラーチャートの階調分解能を超える階調数は得られない。そのため、特許文献１のカラーチャートは、ハイダイナミックレンジの画像入力装置を適切に評価および較正できないおそれがある。
【０００８】
本開示が解決しようとする課題は、既存の階調分解能の材料を用いながらも階調数を増加できるカラーチャートおよびカラーチャート装置を提供することである。
【課題を解決するための手段】
【０００９】
上記の課題を解決するために、本開示の一態様では、
第１透光性基板上の第１方向に沿って同色の色濃度を段階的に単一方向に変化させた複数の第１透光領域を有する第１チャートと、
前記第１透光性基板と重なり合う第２透光性基板上に前記複数の第１透光領域と重なり合うように配置され、前記第１方向に延在される第２透光領域と、前記第１方向に交差する第２方向に沿って前記第２透光領域に隣接して配置され所定の透過率を有する第３透光領域と、を有する第２チャートとを備え、
前記第２透光領域は、前記複数の第１透光領域の中の最大色濃度と同じ色濃度を有し、
前記第２透光領域および前記第３透光領域の前記第２方向の幅はそれぞれ、前記複数の第１透光領域の前記第２方向の幅よりも狭いカラーチャートが提供される。
【００１０】
前記第１方向に沿って配置される前記複数の第１透光領域は、等量ずつ相違する色濃度を有してもよい。
【００１１】
前記第１チャートは、前記第１透光性基板上に前記第２方向に沿って並べて配置され、それぞれ異なる色のｍ個（ｍは２以上の整数）の前記複数の第１透光領域を有し、
前記第２チャートは、前記ｍ個の前記複数の第１透光領域に重なり合うように配置され、前記第１方向に延在される前記ｍ個の前記第２透光領域と、前記第２方向に沿って前記第２透光領域に隣接して配置される前記ｍ個の前記第３透光領域と、を有してもよい。
【００１２】
前記ｍ個の前記複数の第１透光領域は、シアン、マゼンタ、黄および黒の各色、あるいは、赤、緑、青および黒の各色の前記複数の第１透光領域を含んでもよい。
【００１３】
前記第２チャートの前記第３透光領域は、前記第２透光性基板と同じ透過率を有してもよい。
【００１４】
前記第２チャートの前記第３透光領域は、重ね合わせる前記複数の第１透光領域の中の最小色濃度と同じ色濃度を有してもよい。
【００１５】
前記第１透光性基板と前記第２透光性基板とは、波長に対する透過率特性が同一であってもよい。
【００１６】
前記第１チャートおよび前記第２チャートに重ね合わされる少なくとも１つの第３チャートを備え、
前記第３チャートは、前記複数の第１透光領域と重なり合うように前記第１方向に延在される第４透光領域と、前記第１方向に交差する第２方向に沿って前記第４透光領域に隣接して配置され所定の透過率を有する第５透光領域と、を有し、
前記第４透光領域の前記第２方向の幅は、前記第２透光領域の前記第２方向の幅とは異なり、
前記第５透光領域の前記第２方向の幅は、前記３透光領域の前記第２方向の幅とは異なってもよい。
【００１７】
本開示の一態様では、
シート状のカラーチャートと、
前記カラーチャートの一シート面側に配置され、前記カラーチャートを透過する光を発光する照明装置と、を備え、
前記カラーチャートは、
第１透光性基板上の第１方向に沿って同色の色濃度を段階的に単一方向に変化させた複数の第１透光領域を有する第１チャートと、
前記第１透光性基板と重なり合う第２透光性基板上に前記複数の第１透光領域と重なり合うように配置され、前記第１方向に延在される第２透光領域と、前記第１方向に交差する第２方向に沿って前記第２透光領域に隣接して配置され所定の透過率を有する第３透光領域と、を有する第２チャートとを有し、
前記第２透光領域は、前記複数の第１透光領域の中の最大色濃度と同じ色濃度を有し、
前記第２透光領域および前記第３透光領域の前記第２方向の幅はそれぞれ、前記複数の第１透光領域の前記第２方向の幅よりも狭いカラーチャート装置が提供される。
【発明の効果】
【００１８】
本開示によれば、既存の階調分解能の材料を用いながらも階調数を増加できる。
【図面の簡単な説明】
【００１９】
【図１Ａ】第１の実施形態によるカラーチャートにおいて、第１チャートを示す図。
【図１Ｂ】第１の実施形態によるカラーチャートにおいて、第２チャートを示す図。
【図１Ｃ】第１の実施形態によるカラーチャートを示す図。
【図２】第１の実施形態によるカラーチャートの断面図。
【図３】第１の実施形態によるカラーチャートにおいて、第１チャートおよび第２チャートの色濃度を示す図。
【図４】第１の実施形態によるカラーチャートの色濃度を示す図。
【図５】第１の実施形態によるカラーチャートの製造方法を示すフローチャート。
【図６】第１の実施形態によるカラーチャートを用いた色再現性評価方法を説明するための説明図。
【図７Ａ】第２の実施形態によるカラーチャートにおいて、第１チャートを示す図。
【図７Ｂ】第２の実施形態によるカラーチャートにおいて、第２チャートを示す図。
【図７Ｃ】第２の実施形態によるカラーチャートにおいて、第３チャートを示す図。
【図７Ｄ】第２の実施形態によるカラーチャートを示す図。
【図８】第２の実施形態によるカラーチャートにおいて、第１〜第３チャートの色濃度を示す図。
【図９】第２の実施形態によるカラーチャートの色濃度を示す図。
【発明を実施するための形態】
【００２０】
以下、図面を参照して本開示の実施形態について説明する。なお、実施形態は本開示を限定するものではない。また、本明細書において、「板」、「フィルム」、「シート」等の用語は、呼称の違いのみに基づいて、それぞれ区別されるものではない。したがって、例えば、「板」は、フィルムやシートと呼ばれ得るような部材も含む概念である。
【００２１】
（第１の実施形態）
第１の実施形態のカラーチャートは、その透過光を画像入力装置の色再現性の評価および較正に用いる透過型のカラーチャートである。本実施形態によるカラーチャートは、第１チャートと第２チャートとを重ね合わせたものである。
【００２２】
図１Ａは、第１チャート１１の模式的な平面図である。図１Ｂは、第２チャート１２の模式的な平面図である。図１Ｃは、第１チャート１１と第２チャート１２を重ね合わせたカラーチャート１の模式的な平面図である。図１Ａ、１Ｂ、１Ｃの各数値は、階調値（色濃度）を数値化したものであり、実際には、階調値に応じた色合いで表示される。また、図２は、図１ＣのＩＩ−ＩＩ線の断面図である。数値が大きい部分がより色が濃い部分を示している。
【００２３】
（第１チャート１１）
第１チャート１１は、カラーチャート１の色を透過させる第１透光性基板１１１を有する。第１透光性基板１１１は、例えば、無色透明の樹脂フィルムである。第１透光性基板１１１は、無色透明のガラス板であってもよい。
【００２４】
図１Ａに示すように、第１チャート１１は、第１透光性基板１１１上に、第２方向の一例であるＹ方向に沿って並べて配置されたそれぞれ異なる色の４種類の第１透光領域Ｃ１〜Ｃ２１、Ｍ１〜Ｍ２１、Ｙ１〜Ｙ２１、Ｋ１〜Ｋ２１を有する。以下、具体的に説明する。
【００２５】
図１Ａに示すように、第１透光性基板１１１には、同色の色濃度を段階的に変化させた複数の第１透光領域の一例として、シアンの色濃度を段階的に変化させた複数の第１シアン領域Ｃ１〜Ｃ２１が配置されている。図１Ａでは、各第１シアン領域Ｃ１〜Ｃ２１にそれぞれの色濃度が数値で記されている。色濃度は、後述する数式（４）のＤ１１として表現できる。
【００２６】
第１シアン領域Ｃ１〜Ｃ２１は、第１透光性基板１１１のうち＋Ｙ方向の端部側に、第１方向の一例であるＸ方向に沿って連続して配置されている。図１Ａの例では、最小濃度を有する１番目の第１シアン領域Ｃ１から最大濃度を有する２１番目の第１シアン領域Ｃ２１までの２１個のシアン領域Ｃ１〜Ｃ２１が配置されている。しかし、第１シアン領域Ｃ１〜Ｃ２１の個数は図１Ａの例に限定されるものではなく、２１個より多くても少なくてもよい。
【００２７】
第１シアン領域Ｃ１〜Ｃ２１では、単一方向の一例である−Ｘ方向に向かうにしたがってシアンの色濃度が段階的に変化している。具体的には、第１シアン領域Ｃ１〜Ｃ２１は、‐Ｘ方向に向かうにしたがって色濃度が段階的に増加している。より具体的には、第１シアン領域Ｃ１〜Ｃ２１は、等量の一例である０．１ずつ色濃度が相違している。言い換えると、第１シアン領域Ｃ１〜Ｃ２１は、‐Ｘ方向に向かうにしたがって光の分光透過率が一定値ずつ減少している。
【００２８】
このような第１チャート１１の第１シアン領域Ｃ１〜Ｃ２１は、後述する第２チャート１２の第２シアン領域ＣＡおよび第３シアン領域ＣＢと重なり合うことでシアンのカラーパッチＰＣ１〜ＰＣ４２を構成する。
【００２９】
図３は、第１の実施形態によるカラーチャート１において、第１チャート１１および第２チャート１２の色濃度を示す図である。図３の横軸はカラーパッチＰＣ１〜ＰＣ４２の番号、縦軸は色濃度である。すなわち、図３には、カラーパッチＣＰ１〜ＣＰ４１のパッチ番号と第１シアン領域Ｃ１〜Ｃ２１の色濃度との対応関係が示されている。図１Ａおよび図３の例では、１番目の第１シアン領域Ｃ１を除いて、１つの第１シアン領域Ｃ１〜Ｃ２１に２つのカラーパッチＰＣ１〜ＰＣ４１すなわちパッチ番号が割り当てられている。１番目の第１シアン領域Ｃ１と２１番目の第１シアン領域Ｃ２１は同じ色濃度になるため、色濃度の重複を避けるため、第１シアン領域Ｃ１、Ｃ２１には１つのカラーパッチＰＣ１のみが割り当てられている。具体的には、ｋを１〜２１までの第１シアン領域Ｃ１〜Ｃ２１の番号とすると、第１シアン領域Ｃ１〜Ｃ２１には、ｋ＝１の場合はパッチ番号の１番のみが割り当てられ、ｋ≠１の場合はパッチ番号のｋ番とｋ＋２０番とが割り当てられている。例えば、最小濃度を有する１番目の第１シアン領域Ｃ１には、パッチ番号１番のみが割り当てられ、最大濃度を有する２１番目の第１シアン領域Ｃ２１には、パッチ番号２１番と４１番が割り当てられている。すなわち、パッチ番号の昇順に、パッチ番号に対応する第１シアン領域Ｃ１〜Ｃ２１の色濃度が段階的に増加している。なお、図３の例において、最小濃度は０である。図１Ａの例において、最小濃度０の１番目の第１シアン領域Ｃ１は、第１透光性基板１１１そのものの透過率で実現されている。
【００３０】
また、図１Ａに示すように、第１透光性基板１１１には、シアンと異なる同色の色濃度を段階的に変化させた複数の第１透光領域の一例として、マゼンタの色濃度を段階的に変化させた２１個の第１マゼンタ領域Ｍ１〜Ｍ２１が配置されている。図１Ａでは、各第１マゼンタ領域Ｍ１〜Ｍ２１にそれぞれの色濃度が記されている。なお、図１Ａでは、第１マゼンタ領域Ｍ１〜Ｍ２１の色濃度が第１シアン領域Ｃ１〜Ｃ２１の色濃度に一致しているが、本開示は、このような構成に限定されない。第１マゼンタ領域Ｍ１〜Ｍ２１は、第１透光性基板１１１のうち‐Ｙ方向において第１シアン領域Ｃ１〜Ｃ２１に隣接する位置に、Ｘ方向に沿って第１シアン領域Ｃ１〜Ｃ２１と同じ範囲にわたって連続して配置されている。第１マゼンタ領域Ｍ１〜Ｍ２１は、−Ｘ方向に向かうにしたがって色濃度が等量ずつ増加すなわち色濃度が段階的に変化している。第１マゼンタ領域Ｍ１〜Ｍ２１は、後述する第２チャート１２の第２マゼンタ領域ＭＡおよび第３マゼンタ領域ＭＢと重なり合うことでマゼンタのカラーパッチＰＭ１〜ＰＭ４１を構成する。第１シアン領域Ｃ１〜Ｃ２１と同様に、第１マゼンタ領域Ｍ１〜Ｍ２１は、パッチ番号との間に図３に示す対応関係を有している。
【００３１】
また、図１Ａに示すように、第１透光性基板１１１には、シアンおよびマゼンタと異なる色の色濃度を段階的に変化させた複数の第１透光領域の一例として、イエローの色濃度を段階的に変化させた２１個の第１イエロー領域Ｙ１〜Ｙ２１が配置されている。図１Ａでは、各第１イエロー領域Ｙ１〜Ｙ２１にそれぞれの色濃度が記されている。第１イエロー領域Ｙ１〜Ｙ２１は、第１透光性基板１１１のうち‐Ｙ方向において第１マゼンタ領域Ｍ１〜Ｍ２１に隣接する位置に、Ｘ方向に沿って第１マゼンタ領域Ｍ１〜Ｍ２１と同じ範囲にわたって連続して配置されている。第１イエロー領域Ｙ１〜Ｙ２１は、後述する第２チャート１２の第２イエロー領域ＹＡ、ＹＢと重なり合うことでイエローのカラーパッチＰＹ１〜ＰＹ４１を構成する。第１イエロー領域Ｙ１〜Ｙ２１の色濃度の分布やパッチ番号との対応関係は、第１マゼンタ領域Ｍ１〜Ｍ２１と同様である。
【００３２】
また、図１Ａに示すように、第１透光性基板１１１には、シアン、マゼンタおよびイエローと異なる色の色濃度を段階的に変化させた複数の第１透光領域の一例として、ブラックの色濃度を段階的に変化させた２１個の第１ブラック領域Ｋ１〜Ｋ２１が配置されている。図１Ａでは、各第１ブラック領域Ｋ１〜Ｋ２１にそれぞれの色濃度が記されている。第１ブラック領域Ｋ１〜Ｋ２１は、第１透光性基板１１１のうち‐Ｙ方向において第１イエロー領域Ｙ１〜Ｙ２１に隣接する位置に、Ｘ方向に沿って第１イエロー領域Ｙ１〜Ｙ２１と同じ範囲にわたって連続して配置されている。第１ブラック領域Ｋ１〜Ｋ２１は、後述する第２チャート１２の第２ブラック領域ＫＡおよび第３ブラック領域ＫＢと重なり合うことでブラックのカラーパッチＰＫ１〜ＰＫ４１を構成する。第１ブラック領域Ｋ１〜Ｋ２１の色濃度の分布やパッチ番号との対応関係は、第１マゼンタ領域Ｍ１〜Ｍ２１と同様である。
【００３３】
以上のように、図１Ａの例では、ｍ個すなわちｍ種類（ｍは２以上の整数）の第１透光領域の一例として、シアン、マゼンタ、イエローおよびブラックの４種類の第１透光領域Ｃ１〜Ｃ２１、Ｍ１〜Ｍ２１、Ｙ１〜Ｙ２１、Ｋ１〜Ｋ２１について説明した。色の種類については上述した色の組合せに限定されず、例えば、ｍ種類の第１透光領域は、赤、緑、青および黒の４種類の第１透光領域であってもよい。また、第１チャート１１は、他の色の組合せでもよいし、色の種類も４種類に限定されるものではなく、さらには、単一の色の第１透光領域を有していてもよい。
【００３４】
（第２チャート１２）
第２チャート１２は、第１透光性基板１１１と重なり合う第２透光性基板１２１を有する。第２透光性基板１２１は、光の波長に対する透過率特性が第１透光性基板１１１と同じである。例えば、第２透光性基板１２１の材質が第１透光性基板１１１の材質と同じであれば、第１透光性基板１１１と第２透光性基板１１２との透過率特性を一致させることができる。第１透光性基板１１１と第２透光性基板１２１との透過率特性を一致させることで、第１透光性基板１１１と第２透光性基板１２１との透過率特性のばらつきを考慮せずに簡便に所望するカラーチャート１を設計できる。
【００３５】
図１Ｂに示すように、第２チャート１２は、４種類の第１透光領域Ｃ１〜Ｃ２１、Ｍ１〜Ｍ２１、Ｙ１〜Ｙ２１、Ｋ１〜Ｋ２１のそれぞれに重なり合うように配置された４種類の第２透光領域ＣＡ、ＭＡ、ＹＡ、ＫＡと４種類の第３透光領域ＣＢ、ＭＢ、ＹＢ、ＫＢとを有する。以下、具体的に説明する。
【００３６】
図１Ｂに示すように、第２透光性基板１２１上には、第１シアン領域Ｃ１〜Ｃ２１に重なり合うように配置された第２シアン領域ＣＡと第３シアン領域ＣＢとが配置されている。第２シアン領域ＣＡは、第２透光性基板１２１のうち＋Ｙ方向の端部側に、Ｘ方向に延在するように配置されている。第３シアン領域ＣＢは、Ｙ方向において第２シアン領域ＣＡに隣接して配置されている。
【００３７】
第１シアン領域Ｃ１〜Ｃ２１と完全に重なり合うように、第２シアン領域ＣＡおよび第３シアン領域ＣＢは、全体として第１シアン領域Ｃ１〜Ｃ２１の全体に対応する範囲すなわち第１シアン領域Ｃ１〜Ｃ２１と同一面積にわたって配置されている。言い換えると、第２シアン領域ＣＡおよび第３シアン領域ＣＢのそれぞれのＹ方向の幅は、第１シアン領域Ｃ１〜Ｃ２１のＹ方向の幅より狭い。
【００３８】
第２シアン領域ＣＡは、第１シアン領域Ｃ１〜Ｃ２１の中の最大色濃度と同じ色濃度を有している。図１Ａおよび図１Ｂの例において、第２シアン領域ＣＡは、２１番目の第１シアン領域Ｃ２１の色濃度と同じ色濃度“２”を有する。
【００３９】
第３シアン領域ＣＢは、所定の透過率の一例として、第２透光性基板１２１と同じ透過率を有する。言い換えると、第３シアン領域ＣＢは、第１シアン領域Ｃ１〜Ｃ２１の中の最小色濃度と同じ色濃度を有している。図１Ａおよび図１Ｂの例において、第３シアン領域ＣＢは、１番目の第１シアン領域Ｃ１の色濃度と同じ色濃度“０”を有する。
【００４０】
図３には、カラーパッチＣＰ１〜ＣＰ４１のパッチ番号と第２および第３シアン領域ＣＡ、ＣＢの色濃度との対応関係が示されている。第２シアン領域ＣＡには、パッチ番号２２番〜４１番が割り当てられている。第３シアン領域ＣＢには、パッチ番号１番〜２１番が割り当てられている。
【００４１】
また、図１Ｂに示すように、第２透光性基板１２１上には、第１マゼンタ領域Ｍ１〜Ｍ２１に重なり合うように配置された第２マゼンタ領域ＭＡと第３マゼンタ領域ＭＢとが配置されている。第２マゼンタ領域ＭＡは、第２透光性基板１２１のうち−Ｙ方向において第３シアン領域ＣＢに隣接する位置に、Ｘ方向に延在するように配置されている。第３マゼンタ領域ＭＢは、Ｙ方向において第２マゼンタ領域ＭＡに隣接して配置されている。第１マゼンタ領域Ｍ１〜Ｍ２１と完全に重なり合うように、第２マゼンタ領域ＭＡおよび第３マゼンタ領域ＭＢは、全体として第１マゼンタ領域Ｍ１〜Ｍ２１の全体に対応する範囲にわたって配置されている。第２マゼンタ領域ＭＡは、第１マゼンタ領域Ｍ１〜Ｍ２１の中の最大色濃度である２１番目の第１マゼンタ領域Ｍ２１の色濃度と同じ色濃度“２”を有する。第３マゼンタ領域ＭＢは、第２透光性基板１２１と同じ透過率すなわち第１マゼンタ領域Ｍ１〜Ｍ２１の中の最小色濃度である１番目の第１マゼンタ領域Ｍ１の色濃度と同じ色濃度“０”を有する。第２および第３マゼンタ領域ＭＡ、ＭＢは、シアン領域ＣＡ、ＣＢと同様に、パッチ番号との間に図３の対応関係を有している。
【００４２】
また、図１Ｂに示すように、第２透光性基板１２１上には、第１イエロー領域Ｙ１〜Ｙ２１に重なり合うように配置された第２イエロー領域ＹＡと第３イエロー領域ＹＢとが配置されている。第２イエロー領域ＹＡは、第２透光性基板１２１のうち−Ｙ方向において第３マゼンタ領域ＭＢに隣接する位置に、Ｘ方向に延在するように配置されている。第３イエロー領域ＹＢは、Ｙ方向において第２イエロー領域ＹＡに隣接して配置されている。第１イエロー領域Ｙ１〜Ｙ２１と完全に重なり合うように、第２イエロー領域ＹＡおよび第３イエロー領域ＹＢは、全体として第１イエロー領域Ｙ１〜Ｙ２１の全体に対応する範囲にわたって配置されている。第２イエロー領域ＹＡは、第１イエロー領域Ｙ１〜Ｙ２１の中の最大色濃度である２１番目の第１イエロー領域Ｙ２１の色濃度と同じ色濃度“２”を有する。第３イエロー領域ＹＢは、第２透光性基板１２１と同じ透過率すなわち第１イエロー領域Ｙ１〜Ｙ２１の中の最小色濃度である１番目の第１イエロー領域Ｙ１の色濃度と同じ色濃度“０”を有する。第２および第３イエロー領域ＹＡ、ＹＢは、シアン領域ＣＡ、ＣＢと同様に、パッチ番号との間に図３の対応関係を有している。
【００４３】
また、図１Ｂに示すように、第２透光性基板１２１上には、第１ブラック領域Ｋ１〜Ｋ２１に重なり合うように配置された第２ブラック領域ＫＡと第３ブラック領域ＫＢとが配置されている。第２ブラック領域ＫＡは、第２透光性基板１２１のうち−Ｙ方向において第３イエロー領域ＹＢに隣接する位置に、Ｘ方向に延在するように配置されている。第３ブラック領域ＫＢは、Ｙ方向において第２ブラック領域ＫＡに隣接して配置されている。第１ブラック領域Ｋ１〜Ｋ２１と完全に重なり合うように、第２ブラック領域ＫＡおよび第３ブラック領域ＫＢは、全体として第１ブラック領域Ｋ１〜Ｋ２１の全体に対応する範囲にわたって配置されている。第２ブラック領域ＫＡは、第１ブラック領域Ｋ１〜Ｋ２１の中の最大色濃度である２１番目の第１ブラック領域Ｋ２１の色濃度と同じ色濃度“２”を有する。第３ブラック領域ＫＢは、第２透光性基板１２１と同じ透過率すなわち第１ブラック領域Ｋ１〜Ｋ２１の中の最小色濃度である１番目の第１ブラック領域Ｋ１の色濃度と同じ色濃度“０”を有する。第２および第３ブラック領域ＫＡ、ＫＢは、シアン領域ＣＡ、ＣＢと同様に、パッチ番号との間に図３の対応関係を有している。
【００４４】
（カラーチャート１）
図１Ｃおよび図２に示すように、カラーチャート１は、第１チャート１１と第２チャート１２とが、Ｘ方向およびＹ方向に直交する方向すなわち透光性基板１１１、１２１の厚み方向において重なり合うことで構成されている。第１チャート１１と第２チャート１２との間で、同色の第１〜第３透光領域同士は完全に重なり合っており、異色の第１〜第３透光領域同士は重なり合っていない。
【００４５】
図１Ｃに示すように、カラーチャート１においては、第１チャート１１の２１個の第１シアン領域Ｃ１〜Ｃ２１と、第２チャート１２の第２および第３シアン領域ＣＡ、ＣＢとが重なり合うことで、４１個のシアンのカラーパッチＰＣ１〜ＰＣ４１が構成されている。１番目の第１シアン領域Ｃ１と第２シアン領域ＣＡとが重なり合った領域は、２１番目の第１シアン領域Ｃ２１と第３シアン領域ＣＢとが重なり合った２１番目のカラーパッチＰＣ２１と色濃度が重複するので、カラーパッチから除外している。このことは、他色のカラーパッチにおいても同様である。カラーパッチＰＣ１〜ＰＣ４１の個数すなわち階調数は、第１シアン領域Ｃ１〜Ｃ２１の約２倍である。
【００４６】
図４は、第１の実施形態によるカラーチャート１の色濃度を示す図である。図４には、図３に示した第１チャート１１の第１シアン領域Ｃ１〜Ｃ２１と第２チャート１２の第２および第３シアン領域ＣＡ、ＣＢとを重ね合わせることで構成されたシアンのカラーパッチＰＣ１〜ＰＣ４１の色濃度が示されている。
【００４７】
図１Ａ、図１Ｃおよび図４から分かるように、シアンのカラーパッチＰＣ１〜ＰＣ４１の色濃度は、第１シアン領域Ｃ１〜Ｃ２１の色濃度に対して範囲が２倍、数が約２倍である。すなわち、シアンのカラーパッチＰＣ１〜ＰＣ４１は、第１シアン領域Ｃ１〜Ｃ２１の約２倍の階調数を有している。
【００４８】
また、カラーパッチＰＣ１〜ＰＣ４１は、パッチ番号の昇順に等量である０．１ずつ色濃度が増加している。
【００４９】
このような階調数が約２倍で等量ずつ色濃度が変化するカラーパッチＰＣ１〜ＰＣ４１を用いることで、ハイダイナミックレンジの画像入力装置の色再現性の評価および較正を適切に行うことができる。
【００５０】
また、カラーパッチＰＣ１〜ＰＣ４１は、‐Ｘ方向に向かって等量ずつ色濃度が増加する第１シアン領域Ｃ１〜Ｃ２１と、第１シアン領域Ｃ１〜Ｃ２１の最大色濃度および最小色濃度のそれぞれを有する第２および第３シアン領域ＣＡ、ＣＢとの重ね合わせによって簡便に得ることができる。
【００５１】
また、図１Ｃに示すように、カラーチャート１においては、第１チャート１１の２１個の第１マゼンタ領域Ｍ１〜Ｍ２１と、第２チャート１２の第２および第３マゼンタ領域ＭＡ、ＭＢとが重なり合うことで、４１個のマゼンタのカラーパッチＰＭ１〜ＰＭ４１が構成されている。カラーパッチＰＭ１〜ＰＭ４１の個数および階調数は、第１マゼンタ領域Ｍ１〜Ｍ２１の約２倍である。シアンのカラーパッチＰＣ１〜ＰＣ４１と同様に、マゼンタのカラーパッチＰＭ１〜ＰＭ４１も、パッチ番号の昇順に等量ずつ色濃度が増加している。
【００５２】
また、図１Ｃに示すように、カラーチャート１においては、第１チャート１１の２１個のイエロー領域Ｙ１〜Ｙ２１と、第２チャート１２の第２および第３イエロー領域ＹＡ、ＹＢとが重なり合うことで、４１個のイエローのカラーパッチＰＹ１〜ＰＹ４１が構成されている。カラーパッチＰＹ１〜ＰＹ４１の個数および階調数は、第１イエロー領域Ｙ１〜Ｙ２１の約２倍である。シアンのカラーパッチＰＣ１〜ＰＣ４１と同様に、イエローのカラーパッチＰＹ１〜ＰＹ４１も、パッチ番号の昇順に等量ずつ色濃度が増加している。
【００５３】
また、図１Ｃに示すように、カラーチャート１においては、第１チャート１１の２１個のブラック領域Ｋ１〜Ｋ２１と、第２チャート１２の第２および第３ブラック領域ＫＡ、ＫＢとが重なり合うことで、４１個のブラックのカラーパッチＰＫ１〜ＰＫ４１が構成されている。カラーパッチＰＫ１〜ＰＫ４１の個数および階調数は、第１ブラック領域Ｋ１〜Ｋ２１の約２倍である。シアン系のカラーパッチＰＣ１〜ＰＣ４１と同様に、ブラック系のカラーパッチＰＫ１〜ＰＫ４１も、パッチ番号の昇順に等量ずつ色濃度が増加している。
【００５４】
もし、同一の第１チャート１１を２枚重ね合わせてカラーチャートを構成する場合、最大色濃度と最小色濃度との差すなわち色濃度のレンジを１枚の第１チャート１１の２倍にすることはできる。しかるに、このようなカラーチャートでは、隣接するカラーパッチ同士の色濃度の差が、第１チャート１１の隣接する第１透光領域同士の色濃度の差より大きくなってしまう。このため、隣接するカラーパッチのそれぞれの色濃度の間の値をとる色濃度を適切に評価できない。すなわち、色域の拡大だけを意図したカラーチャートでは、色再現性を高精度に評価することは困難である。
【００５５】
これに対して、第１の実施形態のカラーチャート１によれば、第１チャート１１と第２チャート１２とを重ね合わせることで、第１チャート１１より色域を拡大できるだけでなく、第１チャート１１の約２倍の階調数を得ることができる。これにより、ハイダイナミックレンジの画像入力装置の色再現性の評価および較正を高精度すなわち適切に行うことができる。
【００５６】
（カラーチャート１の製造方法）
図５は、第１の実施形態によるカラーチャートの製造方法を示すフローチャートである。図１Ａ〜図１Ｃのカラーチャート１は、例えば、図５のフローチャートにしたがって製造することができる。具体的には、先ず、第１チャート１１の製版データを作成し（ステップＳ１＿１）、また、第２チャート１２の製版データを作成する（ステップＳ１＿２）。
【００５７】
製版データの作成においては、第１チャート１１と第２チャート１２とを重ね合わせたときに所望の色配置および濃度配置を有するカラーパッチが得られるように、予め各チャート１１、１２のそれぞれの第１〜第３透光領域の色配置および濃度配置を決める。
【００５８】
ここで、第１チャート１１と第２チャート１２を重ね合わせたカラーチャート１の或る二次元座標位置における透過光の波長λに対する分光透過率をそれぞれＴ１１（λ）、Ｔ１２（λ）とする。その位置でのカラーチャート１の分光透過率Ｔ１（λ）は、Ｔ１１（λ）およびＴ１２（λ）を用いて次式で表現できる。
【００５９】
Ｔ１（λ）＝Ｔ１１（λ）×Ｔ１２（λ）    （１）
【００６０】
更に、数式（１）の両辺のそれぞれの対数をとると、次式が導出される。
ｌｏｇＴ１（λ）＝ｌｏｇＴ１１（λ）＋ｌｏｇＴ１２（λ）      （２）
【００６１】
ここで、国際規格ＩＳＯ−５/２によれば、濃度Ｄは、特定波長域における平均透過率Ｔａｒｇを用いて次式で定義される。
Ｄ＝−ｌｏｇ１０Ｔａｒｇ      （３）
【００６２】
数式（３）によれば、数式（２）のｌｏｇＴ１（λ）は、近似的にカラーチャート１の濃度Ｄ１とみなすことができる。また、数式（２）のｌｏｇＴ１１（λ）は、近似的に第１チャート１１の濃度Ｄ１１とみなすことができる。また、数式（２）のｌｏｇＴ１２（λ）は、近似的に第２チャート１１の濃度Ｄ１２とみなすことができる。
【００６３】
したがって、数式（２）は、次式に近似できる。
Ｄ１＝Ｄ１１＋Ｄ１２      （４）
【００６４】
そして、第１チャート１１の濃度Ｄ１１を最小色濃度から最大色濃度までの複数の値とし、第２チャート１２の濃度Ｄ１２を最小色濃度と最大色濃度との２つの値とした製版データを作成する。
【００６５】
第１チャート１１の製版データを作成した後、作成された製版データをフィルムプリンタでポジフィルム上に印刷することで、第１チャート１１を作製する（ステップＳ２＿１）。また、第２チャート１２の製版データを作成した後、作成された製版データをフィルムプリンタでポジフィルム上に印刷することで、第２チャート１２を作製する（ステップＳ２＿２）。このとき、各カラーチャート１１、１２の第１〜第３透光領域の色濃度は、フィルム上に付着させる顔料の量で調整してもよい。
【００６６】
第１チャート１１および第２チャート１２を作製した後、対応する第１透光領域と第２および第３透光領域とが完全に重なり合うように、両チャート１１、１２を重ね合わせる（ステップＳ３）。なお、両チャート１１、１２の重ね合わせは、両カラーチャート１１、１２の周縁部を保持する不図示のホルダ内で行ってもよい。
【００６７】
第１の実施形態の製造方法によれば、フィルムプリンタすなわち出力機の限界を超えた第１チャート１１の２倍の階調数を有するカラーチャート１を、第１チャート１１と第２チャート１２との重ね合わせによって簡便に製造することができる。また、第１チャート１１の第１透光領域の色濃度を−Ｘ方向に沿って等量ずつ変化させ、かつ、第２チャート１２を第１チャート１１の最大色濃度を有する第２透光領域と最小色濃度を有する第３透光領域とによって構成することで、第１チャート１１の色濃度間隔を重ね合わせ後においても維持できる。したがって、色再現性の評価および較正に用いるのに好適な濃度配置を有するカラーチャート１を簡便に設計できる。
【００６８】
なお、本開示のカラーチャート１は、以下の３通りの方法を用いて作製できる。１つ目の方法は、銀塩写真方式でポジフィルムに透過領域を形成する方法である。２つ目の方法は、インクジェットプリンタや電子写真プリンタによる印画によって透光性基板上に第１〜第３透光領域を形成する方法である。図５で説明した方法は、この２つ目の方法の一例である。生産性の観点からは、この２つ目の方法が最適である。３つ目の方法は、ゼラチンを染色することで第１〜第３透光領域を作製し、染色されたゼラチンをフィルムにサンドイッチする方法である。精度の観点からは、この３つ目の方法が最適である。
【００６９】
（色再現性評価方法）
図６は、第１の実施形態によるカラーチャート１を用いた色再現性評価方法を説明するための説明図である。
【００７０】
図６は、カラーチャート１を用いて画像入力装置の一例であるカメラ２の色再現性を評価する例を示している。カメラ２の色再現性を評価するには、先ず、図６に示すように、カラーチャート１の一方の面側に照明装置３を配置する。また、透光領域が印刷されたカラーチャート１の他方の面側にカメラ２を配置する。なお、照明装置３は、カラーチャート１とともに第１の実施形態のカラーチャート装置を構成する。
【００７１】
そして、照明装置３によってカラーチャート１を一方の面側から照明しながら、他方の面側からカメラ２でカラーチャート１の像を撮影する。
【００７２】
カラーチャート１を撮影した後、カメラ２の演算回路は、撮影画像上のカラーパッチと予めカメラ２の記憶部に記憶されている参照用のカラーパッチのデータとを比較して、両者の色差に基づいたカメラ２の色再現性の評価値を算出する。カラーパッチの色差が小さいほど、色再現性の評価値は良好である。
【００７３】
色再現性の評価値を算出した後、カメラ２の色補正回路は、色差が最小となるように色再現性に相関するカメラ２のパラメータを補正することで、カメラ２の較正を行う。
【００７４】
第１の実施形態の色再現性評価方法によれば、第１チャート１１と第２チャート１２との重ね合わせによって簡便に作製されたカラーチャート１を用いて、ハイダイナミックレンジのカメラ２の色再現性評価および較正を適切に行うことができる。
【００７５】
このように、第１の実施形態では、第１チャート１１と第２チャート１２を重ね合わせることで、第１チャート１１よりも広い色域を有し、階調数も多いカラーチャート１を作製できる。第２チャートの最大色濃度は、第１チャートの最大色濃度に合わせており、また、第２チャートは、階調の均一な色パターンを分離して配置しただけの簡易な構成であるため、既存の製造方法で容易に作製でき、製造コストが上昇するおそれもない。
【００７６】
（第２の実施形態）
第１の実施形態では、第１チャート１１と第２チャート１２の２枚を重ね合わせる例を説明したが、重ね合わせるチャートの数には特に制限はない。以下では、第２の実施形態として、３枚のカラーチャートを重ね合わせて第１の実施形態よりも階調数を増やす例について説明する。なお、第２の実施形態において、第１の実施形態に対応する構成については、同一の符号を用いて重複した説明を省略する。
【００７７】
図７Ａは、第２の実施形態によるカラーチャート１において、第１チャート１１を示す図である。図７Ａは、第１チャート１１のうち第１シアン領域Ｃ１〜Ｃ２１を代表的に示している。図７Ｂは、第２チャート１２を示す図である。図７Ｂは、第２チャート１２のうち第２および第３シアン領域ＣＡ、ＣＢを代表的に示している。図７Ｃは、第３チャート１３を示す図である。図７Ｃは、第３チャート１３のうち第４および第５シアン領域ＣＣ、ＣＤを代表的に示している。図７Ｄは、カラーチャート１を示す図である。図７Ｄは、カラーチャート１のうちシアンのカラーパッチＰＣ１〜ＰＣ６１を代表的に示している。
【００７８】
ここで、第３チャート１３は、第１チャート１１および第２チャート１２に重ね合わされる。第３チャート１３は、第３透光性基板１３１上に、ＣＭＹＫの各色に対応する第４透光領域と第５透光領域とを有する。図７Ｃでは、第４シアン領域ＣＣと第５シアン領域ＣＤとを代表的に示している。第４透光領域は、同色の第１透光領域と重なり合うようにＸ方向に延在している。第５透光領域は、Ｙ方向に沿って第４透光領域に隣接した配置されている。なお、第３透光性基板１３１は、第１透光性基板１１１および第２透光性基板１２１と同一の透過率特性を有している。
【００７９】
第１の実施形態では、第１チャート１１の２１個の第１シアン領域Ｃ１〜Ｃ２１と第２チャート１２の第２および第３シアン領域ＣＡ、ＣＢとを重ね合わせることで、４１個のカラーパッチＰＣ１〜ＰＣ４１を構成していた。
【００８０】
これに対して、第２の実施形態では、第１チャート１１の２１個の第１シアン領域Ｃ１〜Ｃ２１と、第２チャート１２の第２および第３シアン領域ＣＡ、ＣＢと、第３チャート１３の第４および第５シアン領域ＣＣ、ＣＤとを重ね合わせることで、６１個のカラーパッチＰＣ１〜ＰＣ６１を構成している。以下、具体的に説明する。
【００８１】
図７Ａ〜図７Ｃに示すように、第１チャート１１の第１シアン領域Ｃ１〜Ｃ２１の全体と、第２チャート１２の第２および第３シアン領域ＣＡ、ＣＢの全体と、第３チャート１３の第４および第５シアン領域ＣＣ、ＣＤの全体とは、位置および範囲が対応している。したがって、各フィルタのシアン領域は、完全に重なり合う。また、第２チャート１２の第２シアン領域ＣＡと第３チャート１３の第４シアン領域ＣＣは、ともに、第１チャート１１の最大色濃度すなわち２１番目の第１シアン領域Ｃ２１と同一の色濃度を有する。また、第２チャート１２の第３シアン領域ＣＢと第３チャート１３の第５シアン領域ＣＤは、ともに、第１チャート１１の最小色濃度と同一の色濃度を有する。言い換えれば、第３シアン領域ＣＢと第５シアン領域ＣＤは、透光性基板１２１、１３１と同じ透過率を有する。
【００８２】
また、図７Ｂおよび図７Ｃに示すように、第４シアン領域ＣＣのＹ方向の幅は、第２シアン領域ＣＡのＹ方向の幅と異なっている。図示されている例において、第４シアン領域ＣＣのＹ方向の幅は、第２シアン領域ＣＡのＹ方向の幅の１／２倍である。また、第５シアン領域ＣＤのＹ方向の幅は、第３シアン領域ＣＢのＹ方向の幅と異なっている。図示されている例において、第５シアン領域ＣＤのＹ方向の幅は、第３シアン領域ＣＢのＹ方向の幅の２倍である。
【００８３】
図８は、第２の実施形態によるカラーチャート１において、第１〜第３チャート１１〜１３の色濃度を示す図である。図８に示すように、第２チャート１２において、第２シアン透光領域ＣＡには、パッチ番号２２番〜６１番が割り当てられ、第３シアン領域ＣＢには、パッチ番号１番〜２１番が割り当てられている。また、第３チャート１３において、第４シアン領域ＣＣには、パッチ番号４２番〜６１番が割り当てられ、第５シアン領域ＣＤには、パッチ番号１番〜４１番が割り当てられている。
【００８４】
図９は、第２の実施形態によるカラーチャート１の色濃度を示す図である。第２の実施形態では、第２チャート１２の第２シアン領域ＣＡと、第３チャート１３の第４シアン領域ＣＣとを重ね合わせることで、第１シアン領域Ｃ１〜Ｃ２１の最大色濃度の２倍の色濃度を有する領域を作り出すことができる。更に、この２倍の色濃度を有する領域と最大色濃度を有する２１番目の第１シアン領域Ｃ２１とを重ね合わせることで、第１シアン領域Ｃ２１の３倍の色濃度を有するカラーパッチＰＣ６１を構成できる。
【００８５】
すなわち、図７Ｄおよび図９に示すように、第２の実施形態のカラーチャート１によれば、３つのカラーチャート１１、１２、１３を重ね合わせることで、第１の実施形態よりも階調数が多い６１個のシアンのカラーパッチＰＣ１〜ＰＣ６１を構成できる。
【００８６】
なお、第１シアン領域Ｃ１〜Ｃ２１の階調数を増加すれば、シアンのカラーパッチＰＣ１〜ＰＣ６１の階調数を更に増加できる。
【００８７】
また、第４シアン領域ＣＣと第５シアン領域ＣＤとのＹ方向の寸法比がそれぞれ異なる２枚以上の第３チャート１３を第１チャート１１および第２チャート１２と順に重ね合わせてもよい。これにより、比較的簡易な構成によって階調数を更に増加できる。
【００８８】
以上のようなシアン領域の構成は、マゼンタ領域、イエロー領域およびブラック領域においても同様である。
【００８９】
以上述べたように、第２の実施形態によれば、重ね合わせるチャートの数を増やして、各チャートの色領域の幅を調整することで、第１の実施形態よりも階調数を増加できる。
【００９０】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【符号の説明】
【００９１】
１  カラーチャート、１１  第１チャート、１１１  第１透光性基板、１２  第２チャート、１２１  第２透光性基板
【図１Ａ】
0006774642.tif 000002
【図１Ｂ】
0006774642.tif 000003
【図１Ｃ】
0006774642.tif 000004
【図２】
0006774642.tif 000005
【図３】
0006774642.tif 000006
【図４】
0006774642.tif 000007
【図５】
0006774642.tif 000008
【図６】
0006774642.tif 000009
【図７Ａ】
0006774642.tif 000010
【図７Ｂ】
0006774642.tif 000011
【図７Ｃ】
0006774642.tif 000012
【図７Ｄ】
0006774642.tif 000013
【図８】
0006774642.tif 000014
【図９】
0006774642.tif 000015